(57)【要約】【課題】回診による医用画像撮影時における撮影オーダー情報の譲渡を迅速に行うことができるようにするとともに、データの重複を防止することである。【解決手段】本発明に係る医用画像撮影システム１００によれば、ＰＤＡ４ａとＰＤＡ４ｂは、近距離無線通信によりＩＤ番号及びパスワードを互いに送受信し、受信したＩＤ番号及びパスワードに対して相互に認証を行う。認証後、ＰＤＡ４ａは、選択された撮影オーダー情報をＰＤＡ４ｂに送信する。ＰＤＡ４ｂは、ＰＤＡ４ａからの撮影オーダー情報を受信すると、撮影オーダー情報受信通知をＰＤＡ４ａに送信し、記憶部４６に受信した撮影オーダー情報を記憶する。ＰＤＡ４ａは、撮影オーダー情報受信通知を受信すると、記憶部４６から送信した撮影オーダー情報を削除する。【選択図】  図１
2004152067.tif 000002
【特許請求の範囲】
【請求項１】
撮影オーダ情報を読出し可能な状態で保持し、読出し命令に応じて当該撮影オーダ情報を外部に送信可能な制御装置と、この制御装置に通信ネットワークを介して接続可能な複数の携帯情報端末と、を備え、
前記携帯情報端末は、前記撮影オーダー情報を取得して記憶部に記憶し、他の携帯情報端末と相互に相手端末ユーザに対する認証を行い、相互の認証が行われた際に前記他の携帯情報端末と前記撮影オーダー情報の送受信を行い、前記撮影オーダー情報を受信した際に、送信側の携帯情報端末に受信確認信号を送信し、前記撮影オーダー情報を送信した際に、受信側の携帯情報端末から受信確認信号を受信した後前記記憶部に記憶された送信済みの撮影オーダー情報を前記記憶部から削除又は無効にすることを特徴とする医用画像撮影システム。
【請求項２】
撮影予約入力に基づいて撮影オーダ情報を生成する情報管理装置を備え、前記制御装置は前記通信ネットワークを介して前記情報管理装置から前記撮影オーダ情報を読み出すように構成したことを特徴とする請求項１に記載の医用画像撮影システム。
【請求項３】
撮影予約入力に基づいて撮影オーダ情報を生成する情報管理装置を備え、前記携帯情報端末は、前記通信ネットワークを介して前記情報管理装置からも前記撮影オーダ情報を読出し可能に構成したことを特徴とする請求項１に記載の医用画像撮影システム。
【請求項４】
前記撮影オーダ情報に基づきカセッテを用いてＸ線撮影を行う移動可能なＸ線撮影装置を備え、
前記制御装置は、前記撮影オーダー情報の中から、カセッテを用いる撮影のオーダー情報を抽出する抽出手段を備え、この抽出された撮影オーダー情報を携帯情報端末に送信することを特徴とする請求項１〜３の何れか一項に記載の医用画像撮影システム。
【請求項５】
撮影オーダ情報を読出し可能な状態で保持し、読出し命令に応じて当該撮影オーダ情報を外部に送信可能な制御装置と通信ネットワークを介して接続可能な携帯情報端末であって、
前記制御装置から前記撮影オーダー情報を受信する受信部と、
前記受信された撮影オーダー情報を記憶する記憶部と、
他の携帯情報端末と前記撮影オーダー情報の送受信を行う通信部と、
前記通信部により前記撮影オーダー情報の送信又は受信を行う際に相手端末のユーザが許可されたユーザであることを認証する認証処理部と、
送信側及び受信側双方の携帯情報端末のユーザが相手端末により認証された際に、前記撮影オーダー情報の送受信が可能となるように制御する送受信制御部と、
前記撮影オーダー情報を受信した際に、相手端末に受信確認信号を送信する受信確認処理部と、
前記受信確認信号を受信後、前記記憶部に記憶された送信済みの撮影オーダー情報を前記記憶部から削除するように制御する送信済み情報制御部と、
を備えたことを特徴とする携帯情報端末。
【請求項６】
前記送信済み情報制御部は、前記受信確認信号を受信後、前記記憶部に記憶された送信済みの撮影オーダー情報に対する処理を行わないように制御することを特徴とする請求項５に記載の携帯情報端末。
【発明の詳細な説明】
【０００１】
【発明の属する技術分野】
本発明は、Ｘ線等の放射線を用いて医用画像の撮影を行う医用画像撮影システム、携帯情報端末に関する。
【０００２】
【従来の技術】
近年、接続の容易性という観点から、ＰＤＡ（携帯情報端末：Ｐｅｒｓｏｎａｌ  Ｄｉｇｉｔａｌ  Ａｓｓｉｓｔａｎｃｅ）やＰＣ（Ｐｅｒｓｏｎａｌ  Ｃｏｍｐｕｔｅｒ）において通信を行う際に近距離無線通信が利用されるようになってきている。近距離無線通信としては、例えばＩｒＤＡ（Ｉｎｆｒａｒｅｄ  Ｄａｔａ  Ａｓｓｏｃｉａｔｉｏｎ）によって規格が制定された赤外線データ通信があり、赤外線データ通信に係る技術として、例えばコンピュータ上のソフトウェアに頼ることなく複数の赤外光送受信ポートをハードウェアによって切り替えることができる赤外線データ通信装置がある。（例えば、特許文献１参照）。
【０００３】
【特許文献１】
特開平１０−１８７５６４号公報
【０００４】
【発明が解決しようとする課題】
ところで、医療の分野においては、患者に対する病気診断のために、Ｘ線等の放射線を利用して医用画像撮影を行い、医用画像をデジタル画像として取得する医用画像撮影システムが開発されている。
【０００５】
医用画像撮影システムにおいては、制御装置がネットワークを介して撮影予約入力を行うための情報管理装置と接続されており、制御装置は情報管理装置から所定期間分の撮影オーダ情報を受信して管理している。そして、制御装置は、撮影オーダー情報に基づいて医用画像読取装置を制御して、Ｘ線撮影により輝尽性蛍光体プレートに蓄積された被検体の放射線画像情報の読み取りを行い、読み取られた医用画像を管理する。
【０００６】
一般的に、病棟や救急室、手術室等、放射線科の撮影室以外において回診によるＸ線撮影を行う際には、放射線技師は、患者情報や撮影条件からなる撮影オーダー情報が印刷されたオーダー用紙に基づいて、手作業で撮影の管理を行っている。具体的には、回診による撮影に際して、放射線技師は、回診用Ｘ線装置と、輝尽性蛍光体プレートを内蔵し、放射線画像情報を蓄積するためのカセッテ及びオーダー用紙を撮影場所に持ち込む。撮影に際して、放射線技師は、オーダー用紙により撮影オーダーの入っている患者及び撮影部位等を確認し、未撮影のカセッテにより撮影を行う。
【０００７】
ところで、複数の技師が回診によるＸ線撮影を行っている場合、ある技師が撮影する予定であった撮影の一部が他の技師による撮影に変更になることがある。このとき、担当技師が変更になる撮影オーダー情報の一部を、撮影を行う技師に譲渡しなければならないが、撮影オーダー情報を用紙により管理していると、オーダー情報の譲渡を迅速に行うことができない。また、撮影オーダー情報の重複の恐れや、撮影の重複の恐れもある。
【０００８】
本発明の課題は、携帯用情報端末を用いて回診による医用画像撮影時における撮影オーダー情報の譲渡を迅速に行うことができるようにするとともに、データの重複を防止することである。
【０００９】
【課題を解決するための手段】
上記課題を解決するため、請求項１に記載の発明は、
撮影オーダ情報を読出し可能な状態で保持し、読出し命令に応じて当該撮影オーダ情報を外部に送信可能な制御装置と、この制御装置に通信ネットワークを介して接続可能な複数の携帯情報端末と、を備え、
前記携帯情報端末は、前記撮影オーダー情報を取得して記憶部に記憶し、他の携帯情報端末と相互に相手端末ユーザに対する認証を行い、相互の認証が行われた際に前記他の携帯情報端末と前記撮影オーダー情報の送受信を行い、前記撮影オーダー情報を受信した際に、送信側の携帯情報端末に受信確認信号を送信し、前記撮影オーダー情報を送信した際に、受信側の携帯情報端末から受信確認信号を受信した後前記記憶部に記憶された送信済みの撮影オーダー情報を前記記憶部から削除又は無効にする医用画像撮影システムであることを特徴としている。
【００１０】
請求項１に記載の発明によれば、医用画像撮影システムは、撮影オーダ情報を読出し可能な状態で保持し、読出し命令に応じて当該撮影オーダ情報を外部に送信可能な制御装置と、この制御装置に通信ネットワークを介して接続可能な複数の携帯情報端末と、を備えており、携帯情報端末は、撮影オーダー情報を取得して記憶部に記憶し、他の携帯情報端末と相互に相手端末ユーザに対する認証を行い、相互の認証が行われた際に他の携帯情報端末と撮影オーダー情報の送受信を行い、撮影オーダー情報を受信した際に、送信側の携帯情報端末に受信確認信号を送信し、撮影オーダー情報を送信した際に、受信側の携帯情報端末から受信確認信号を受信した後記憶部に記憶された送信済みの撮影オーダー情報を記憶部から削除又は無効にする。
【００１１】
従って、携帯情報端末同士で撮影オーダー情報の譲渡を行うことができるので、回診先において撮影技師の変更時等に、携帯情報端末を所持する技師間での撮影オーダー情報のやりとりが容易に行えるようになる。また、撮影オーダー情報の送受信においては双方の携帯情報端末の操作者の認証を相手端末により行うので、許可されない人物による撮影オーダー情報の送受信を防止できる。また、送信した撮影オーダー情報を送信側の携帯情報端末から削除するので、撮影オーダー情報の重複による重複撮影を防止することができる。
【００１２】
請求項２に記載の発明は、請求項１に記載の発明において、
撮影予約入力に基づいて撮影オーダ情報を生成する情報管理装置を備え、前記制御装置は前記通信ネットワークを介して前記情報管理装置から前記撮影オーダ情報を読み出すように構成したことを特徴としている。
【００１３】
請求項２に記載の発明によれば、撮影予約入力に基づいて撮影オーダ情報を生成する情報管理装置を備え、制御装置は通信ネットワークを介して情報管理装置から撮影オーダ情報を読み出す。従って、撮影オーダー情報の入力を、外部の情報管理装置によって行うことができる。
【００１４】
請求項３に記載の発明は、請求項１に記載の発明において、
撮影予約入力に基づいて撮影オーダ情報を生成する情報管理装置を備え、前記携帯情報端末は、前記通信ネットワークを介して前記情報管理装置からも前記撮影オーダ情報を読出し可能に構成したことを特徴としている。
【００１５】
請求項３に記載の発明によれば、撮影予約入力に基づいて撮影オーダ情報を生成する情報管理装置を備え、携帯情報端末は、通信ネットワークを介して情報管理装置からも撮影オーダ情報を読出すことができる。従って、携帯情報端末は、制御装置を介することなく撮影オーダー情報を取得することができる。
【００１６】
請求項４記載の発明は、請求項１〜３の何れか一項に記載の発明において、
前記撮影オーダ情報に基づきカセッテを用いてＸ線撮影を行う移動可能なＸ線撮影装置を備え、
前記制御装置は、前記撮影オーダー情報の中から、カセッテを用いる撮影のオーダー情報を抽出する抽出手段を備え、この抽出された撮影オーダー情報を携帯情報端末に送信することを特徴としている。
【００１７】
請求項４に記載の発明によれば、制御装置は、撮影オーダー情報の中から、カセッテを用いる撮影のオーダー情報を抽出し、この抽出された撮影オーダー情報を携帯情報端末に送信する。従って、携帯情報端末にはカセッテを用いて撮影を行う撮影オーダー情報のみが送信されるので、携帯情報端末で扱うデータを回診先におけるＸ線撮影に必要な情報のみに限定することができ、携帯情報端末における処理を効率的に行うことができる。
【００１８】
請求項５に記載の発明は、
撮影オーダ情報を読出し可能な状態で保持し、読出し命令に応じて当該撮影オーダ情報を外部に送信可能な制御装置と通信ネットワークを介して接続可能な携帯情報端末であって、
前記制御装置から前記撮影オーダー情報を受信する受信部と、
前記受信された撮影オーダー情報を記憶する記憶部と、
他の携帯情報端末と前記撮影オーダー情報の送受信を行う通信部と、
前記通信部により前記撮影オーダー情報の送信又は受信を行う際に相手端末のユーザが許可されたユーザであることを認証する認証処理部と、
送信側及び受信側双方の携帯情報端末のユーザが相手端末により認証された際に、前記撮影オーダー情報の送受信が可能となるように制御する送受信制御部と、
前記撮影オーダー情報を受信した際に、相手端末に受信確認信号を送信する受信確認処理部と、
前記受信確認信号を受信後、前記記憶部に記憶された送信済みの撮影オーダー情報を前記記憶部から削除するように制御する送信済み情報制御部と、
を備えた携帯情報端末であることを特徴としている。
【００１９】
請求項５に記載の発明によれば、携帯情報端末は、撮影オーダ情報を読出し可能な状態で保持し、読出し命令に応じて当該撮影オーダ情報を外部に送信可能な制御装置と通信ネットワークを介して接続可能に構成され、制御装置から撮影オーダー情報を受信し、受信された撮影オーダー情報を記憶し、送信側及び受信側双方の携帯情報端末のユーザが相手端末により認証された際に、記憶部に記憶された撮影オーダー情報の送受信を行い、撮影オーダー情報を受信した際には、相手端末に受信確認信号を送信し、撮影オーダー情報を送信した際には、受信確認信号を受信後、記憶部に記憶された送信済みの撮影オーダー情報を記憶部から削除する。
【００２０】
従って、携帯情報端末同士で撮影オーダー情報の譲渡を行うことができるので、回診先において撮影技師の変更時等に、携帯情報端末を所持する技師間での撮影オーダー情報のやりとりが容易に行えるようになる。また、撮影オーダー情報の送受信においては双方の携帯情報端末の操作者の認証を相手端末により行うので、許可されない人物による撮影オーダー情報の送受信を防止できる。また、送信した撮影オーダー情報を送信側の携帯情報端末から削除するので、撮影オーダー情報の重複による重複撮影を防止することができる。
【００２１】
請求項６に記載の発明は、請求項５に記載の発明において、
前記送信済み情報制御部は、前記受信確認信号を受信後、前記記憶部に記憶された送信済みの撮影オーダー情報に対する処理を行わないように制御することを特徴としている。
【００２２】
請求項６に記載の発明によれば、受信確認信号を受信後、記憶部に記憶された送信済みの撮影オーダー情報にする処理を行わないように制御する。従って、撮影オーダー情報の送受信による重複撮影を防止することができる。
【００２３】
【発明の実施の形態】
以下、図を参照して本発明に係る実施の形態を詳細に説明する。
まず、医用画像撮影システム１００の構成を説明する。
図１は、医用画像撮影システム１００の全体構成を示す図である。医用画像撮影システム１００は、コンピューテッドラジオグラフィー（ＣＲ）、または半導体検出器を利用したＦｌａｔ  Ｐａｎｅｌ  Ｄｅｔｅｃｔｏｒ（ＦＰＤ）を利用したシステムである。図１に示すように、医用画像撮影システム１００は、制御装置１、情報管理装置２、医用画像読取装置３、携帯情報端末（以下、ＰＤＡという）４ａ、４ｂ、回診用Ｘ線装置５により構成されている。制御装置１、情報管理装置２、ＰＤＡ（Ｐｅｒｓｏｎａｌ  Ｄｉｇｉｔａｌ  Ａｓｓｉｓｔａｎｃｅ）４ａ、４ｂはネットワークＮを介して相互にデータの送受信が可能なように接続され、更に制御装置１はケーブルＣを介して医用画像読取装置３と接続されている。また、ＰＤＡ４ａ、４ｂは、近距離通信部を備えており、ＰＤＡ４ａ、４ｂ間で近距離無線通信によりデータの送受信が可能なように構成されている。なお、図１においては、制御装置１、情報管理装置２、医用画像読取装置３、ＰＤＡ４ａ、４ｂ、回診用Ｘ線装置５が各々１台ずつ接続された例を示しているが、これらの装置の台数は特に限定されない。
【００２４】
制御装置１は、ケーブルＣを介して医用画像読取装置３に接続され、ネットワークＮを介して情報管理装置２、ＰＤＡ４ａ、４ｂに接続されている。制御装置１は、情報管理装置２から撮影オーダー情報を受信し、受信した撮影オーダー情報のうち、回診によりＸ線撮影を行う撮影オーダー情報を抽出し、ＰＤＡ４ａ、４ｂに送信する。また、制御装置１は、撮影オーダー情報に従って医用画像読取装置３を制御して挿入されたカセッテＡに蓄積された放射線画像情報の読み取りを行わせ、医用画像読取装置３から医用画像データを受信して画像処理、表示処理等を実行する。
【００２５】
情報管理装置２は、入力された医用画像の撮影に関する撮影オーダー情報を、ネットワークＮを介して制御装置１に送信する。撮影オーダー情報とは、医用画像撮影システム１００において医用画像の撮影を予約するための情報であり、例えば、撮影を受ける患者を特定するために一意的に割り当てられた識別コードである患者ＩＤ、患者氏名、年齢、病室、依頼科、依頼医師名、撮影条件、読取機種等が挙げられる。
【００２６】
医用画像読取装置３は、カセッテＡを使用するカセッテタイプの画像読取装置である。カセッテＡは、放射線エネルギーの一部を蓄積する輝尽性蛍光体シートを内蔵しており、病室等の回診先において回診用Ｘ線装置５とカセッテＡの間に被検体を配置して回診用Ｘ線装置５からカセッテＡ側に向けてＸ線を照射すると、Ｘ線による被検体の放射線画像情報が蓄積される。医用画像読取装置３は、このＸ線撮影に供されたカセッテＡが挿入されると、輝尽性蛍光体シートに励起光を照射し、これによりシートから発光される輝尽発光光を光電変換したのちＡ／Ｄ変換し、医用画像データとしてケーブルＣを介して制御装置１に送信する。
【００２７】
ＰＤＡ４ａ、４ｂは、ネットワークＮを介して制御装置１から回診によるＸ線撮影を行う撮影オーダー情報を受信し、撮影を行う患者毎に撮影オーダー情報を検索して撮影部位を表示部に表示する。また、ＰＤＡ４ａ、４ｂ間で近距離無線通信を行うことにより撮影オーダー情報の送受信を行う。このとき、送信元のＰＤＡ４は、送信した撮影オーダー情報の削除を行う。ＰＤＡ４ａ、４ｂは、携帯型通信端末であればよく、例えば携帯電話機、ＰＨＳ（Ｐｅｒｓｏｎａｌ  Ｈａｎｄｙｐｈｏｎｅ  Ｓｙｓｔｅｍ）、ノート型ＰＣ等がある。
【００２８】
回診用Ｘ線装置５は、移動可能なＸ線撮影装置であり、カセッテＡとの間に被検体を配置し、カセッテＡに向けてＸ線を照射することによりＸ線撮影を行う。
【００２９】
ネットワークＮは、専用線や既存の一般公衆回線を利用して構築された通信ネットワークであり、ＬＡＮやＷＡＮ等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。但し、情報管理の信頼性の観点から、特定のユーザのみがアクセス可能なセキュリティを確保しているネットワークであることが望ましい。各装置、端末間は有線接続であっても無線接続であってもよい。
【００３０】
近距離無線通信としては、赤外線通信（ＩｒＤＡ／ＩｒＭＣ）、Ｂｌｕｅｔｏｏｔｈ（Ｒ）、ＩＥＥＥ８０２．１１規格に準拠した無線通信等を適用可能であるが、本実施の形態においては、ＩｒＤＡ規格に準拠した赤外線通信方式を適用するものとして説明する。
【００３１】
次に、図を参照して制御装置１の構成及び動作を詳細に説明する。
まず、構成を説明する。
図２は、制御装置１の機能的構成を示すブロック図である。図２に示すように、制御装置１は、制御部１１、入力部１２、表示部１３、Ｉ／Ｆ１４、通信制御部１５、ＲＡＭ１６、記憶部１７、画像処理部１８等により構成され、各部はバス１９により接続されている。
【００３２】
制御部１１は、ＣＰＵ（Ｃｅｎｔｒａｌ  Ｐｒｏｃｅｓｓｉｎｇ  Ｕｎｉｔ）等により構成され、記憶部１７に記憶されているシステムプログラムや各種制御プログラムを読み出し、ＲＡＭ１６に展開し、該制御プログラムに従って各部の動作を集中制御する。また、制御部１１はＲＡＭ１６に展開したプログラムに従って、後述する撮影オーダー情報送受信処理Ａ（図５参照）を始めとする各種処理を実行し、その処理結果をＲＡＭ１６に一時記憶させるとともに、表示部１３に表示させる。
【００３３】
例えば、制御部１１は、ＰＤＡ４ａ、４ｂから撮影オーダー情報送信要求を受信すると、撮影オーダー情報ファイル１７１から「機種」が医用画像読取装置３である未撮影の撮影オーダー情報を抽出し、抽出された撮影オーダー情報をＰＤＡ４ａ、４ｂに送信する。
【００３４】
また、制御部１１は、更新された撮影オーダー情報に従って医用画像読取装置３を制御して、医用画像読取装置３に挿入されたカセッテＡに蓄積された放射線画像情報の読み取りを行わせ、医用画像読取装置３から医用画像データを受信して画像処理、表示処理等を実行する。
【００３５】
入力部１２は、カーソルキー、数字入力キー、及び各種機能キー等を備えたキーボードと、ポインティングデバイスであるマウス等を備えて構成され、キーボードで押下されたキーに対応する押下信号とマウスによる操作信号とを入力信号として制御部１１に出力する。また、別の態様では、入力部１２を、表示部１３の表示画面を覆う透明なシートパネルに指または専用のスタイラスペンで触れることにより入力される位置情報を入力信号として制御部１１に出力する、いわゆるタッチパネルにより構成されたものを用いることも可能である。
【００３６】
表示部１３は、ＬＣＤ（Ｌｉｑｕｉｄ  Ｃｒｙｓｔａｌ  Ｄｉｓｐｌａｙ）やＣＲＴ（Ｃａｔｈｏｄｅ  Ｒａｙ  Ｔｕｂｅ）等により構成され、制御部１１から入力される表示信号の指示に従って、入力部１２からの入力指示やデータ等を表示部１３に表示させる。
【００３７】
Ｉ／Ｆ１４は、制御装置１がケーブルＣを介して医用画像読取装置３と接続するためのインターフェイスである。
【００３８】
通信制御部１５は、モデム、ＬＡＮアダプタやルータ、ＴＡ（Ｔｅｒｍｉｎａｌ  Ａｄａｐｔｅｒ）等によって構成され、専用線、或いはＩＳＤＮ回線等の通信回線を介してネットワークＮに接続された各装置との通信制御を行う。
【００３９】
ＲＡＭ（Ｒａｎｄｏｍ  Ａｃｃｅｓｓ  Ｍｅｍｏｒｙ）１６は、制御部１１により実行制御される各種処理において、記憶部１７から読み出された制御装置１上で実行可能なシステムプログラム、制御プログラム、入力若しくは出力データ、及びパラメータ等の一時的な格納領域を形成する。
【００４０】
記憶部１７は、ＨＤＤ（Ｈａｒｄ  Ｄｉｓｃ  Ｄｒｉｖｅ）等の不揮発性の半導体メモリにより構成され、制御装置１に対応するシステムプログラム、当該システムプログラムに対応する各種処理プログラム、及び処理結果等を記憶する。また、プログラムやデータが予め記憶された記録媒体（図示省略）を有しており、この記録媒体は、磁気的、光学的記録媒体、もしくは半導体メモリで構成された非揮発性メモリである。この記録媒体は、記憶部１７に固定的に、或いは着脱自在に装着するものである。各種プログラムは、読取可能なプログラムコードの形態で格納され、制御部１１は、当該プログラムコードに従った動作を逐次実行する。
【００４１】
本実施の形態において、記憶部１７は、内部に情報管理装置２から送信された撮影オーダー情報を記憶する撮影オーダー情報ファイル１７１と、医用画像読取装置３により読み取られた医用画像を格納する画像ＤＢ１７２を有している。
【００４２】
図３は、撮影オーダー情報ファイル１７１内のデータ格納例を示す図である。図３に示すように、撮影オーダー情報ファイル１７１は、撮影ＩＤ領域１７１ａと、患者ＩＤ領域１７１ｂと、患者氏名領域１７１ｃと、性別領域１７１ｄと、年齢領域１７１ｅと、病室領域１７１ｆと、依頼科領域１７１ｇと、撮影条件領域１７１ｈと、機種領域１７１ｉと、枚数領域１７１ｊと、送信済領域１７１ｋと、により構成される。
【００４３】
撮影ＩＤ領域１７１ａは、撮影を特定するために一意的に割り当てられた識別コード（例えば、２００２０１０１００１、２００２０１０１００２、２００２０１０１００３、・・・）を「撮影ＩＤ」として格納する。患者ＩＤ領域１７１ｂは、撮影を受ける患者を特定するために一意的に割り当てられたコード（例えば、１０００００２、１０００００５、・・・）を「患者ＩＤ」として格納する。患者氏名領域１７１ｃは、撮影を受ける患者の名前を表すデータ（例えば、○○○○○、△△△△、・・・）を「患者氏名」として格納する。性別領域１７１ｄは、撮影を受ける患者の性別を表す文字列（例えば、男、女、・・・）を「性別」として格納する。年齢領域１７１ｅは、撮影を受ける患者の年齢を表すデータ（例えば、４０、５０、・・・）を「年齢」として格納する。
【００４４】
また、病室領域１７１ｆは、撮影を行う病室を表すデータ（例えば、１０１、２０５、・・・）を「病室」として格納する。依頼科領域１７１ｇは、撮影を依頼した科を表すデータ（例えば、外科、内科、・・・）を「依頼科」として格納する。撮影部位領域１７１ｈは、撮影部位、方向等の撮影条件を表すデータ（例えば、頭蓋骨Ａ→Ｐ、頭蓋骨Ｐ→Ａ、胸部Ｐ→Ａ、・・・）を「撮影条件」として格納する。機種領域１７１ｉは、読み取りを行う読み取り装置の機種を表すデータ（例えば、医用画像読取装置４、医用画像読取装置３、・・・）を「機種」として格納する。枚数領域１７１ｊは、撮影する枚数を表すデータ（例えば、３、３、４、・・・）を「枚数」として格納する。送信済領域１７１ｋは、ＰＤＡ４ａや４ｂに撮影オーダー情報を送信した際に、送信済みフラグ、例えば「１」を格納する。
【００４５】
画像処理部１８は、制御部１１からの指示入力に従って、医用画像データに周波数処理、階調処理、回転処理、拡大・縮小処理等の各種画像処理を施す。この他に、画像処理部１８は、所定の符号化方式で圧縮する圧縮処理や、圧縮された画像データを復号化して伸長する伸長処理を実行する。
【００４６】
次に、ＰＤＡ４ａ、４ｂの内部構成について説明する。
図４は、ＰＤＡ４ａ、４ｂの機能的構成を示すブロック図である。図４に示すように、ＰＤＡ４ａ、４ｂは、制御部４１、入力部４２、表示部４３、近距離通信部４４、ＲＡＭ４５、記憶部４６、通信制御部４７等により構成され、各部はバス４８により接続されている。
【００４７】
制御部４１は、ＣＰＵ等により構成され、記憶部１７に記憶されているシステムプログラムや各種制御プログラムを読み出し、ＲＡＭ４５に展開し、該制御プログラムに従って各部の動作を集中制御する。また、制御部４１はＲＡＭ４５に展開したプログラムに従って後述する撮影オーダー情報送受信処理Ａ（図５参照）、撮影オーダー情報送受信処理Ｂ（図６参照）を始めとする各種処理を実行し、その処理結果をＲＡＭ４５に一時記憶させるとともに、表示部４３に表示させる。
【００４８】
例えば、制御部４１は、通信制御部４７により制御装置１に撮影オーダー情報送信要求を送信して撮影オーダー情報を受信して記憶部４６に記憶する。また、制御部４１は、受信した撮影オーダー情報を表示部４３に撮影オーダー情報を表示させる。
【００４９】
また、制御部４１は、近距離通信部４４により他のＰＤＡ４ａ、４ｂにアクセスして撮影オーダー情報を送信し、送信した撮影オーダー情報を記憶部４６から削除する。また、制御部４４は、他のＰＤＡ４ｂ、４ｂから送信された撮影オーダー情報を受信し、記憶部４６に記憶する。
【００５０】
入力部４２は、表示部４３の表示画面を覆う透明なシートパネルに指または専用のスタイラスペンで触れることにより入力される位置情報を入力信号として制御部４１に出力する、いわゆるタッチパネルにより構成されている。また、入力部４２は、電源ボタン、各種機能ボタン等を備えており、ボタン操作による操作信号を制御部４１に出力する。
【００５１】
表示部４３は、ＬＣＤ等により構成され、制御部４１から入力される表示信号の指示に従って、入力部４２からの入力指示や撮影オーダー情報等のデータを表示させる。
【００５２】
近距離通信部４４は、赤外光発生用の発光ダイオード、赤外光受信用のフォトダイオード、及びそれらの駆動回路等を備えており、ＩｒＤＡ規格に準拠した無線通信方式に基づいて、ＰＤＡ４ｂ等の外部機器との間で無線信号の送受信を行う。
【００５３】
ＲＡＭ４５は、制御部４１により実行制御される各種処理において、記憶部４６から読み出された制御装置１上で実行可能なシステムプログラム、制御プログラム、入力若しくは出力データ、及びパラメータ等の一時的な格納領域を形成する。
【００５４】
記憶部４６は、フラッシュメモリ（Ｆｌａｓｈ  Ｍｅｍｏｒｙ）等の不揮発性の半導体メモリにより構成され、ＰＤＡ４に対応するシステムプログラム、当該システムプログラムに対応する各種処理プログラム、及び処理結果等を記憶する。これらの各種プログラムは、読取可能なプログラムコードの形態で格納され、制御部４１は、当該プログラムコードに従った動作を逐次実行する。
【００５５】
通信制御部４７は、モデム或いはターミナルアダプタ等によって構成されており、ネットワークＮに接続される通信事業者（図示せず）との無線通信を行うための通信制御を行う。
【００５６】
次に、動作について説明する。
図５は、医用画像撮影システム１００において、制御装置１とＰＤＡ４ａにより実行される撮影オーダー情報送受信処理Ａを示すフロー図である。以下、図５を参照して撮影オーダー情報送受信処理Ａについて説明する。
【００５７】
ＰＤＡ４ａの制御部４１は、通信制御部４７により制御装置１に接続要求を送信する（ステップＳ１）。制御装置１の制御部１１は、ＰＤＡ４ａからの接続要求を受信すると、ＰＤＡ４ａにＩＤ番号、パスワードの要求を送信する（ステップＳ２）。ここで、ＩＤ番号は、医師、放射線技師や、その指示を受けたオペレータ等、ＰＤＡ４ａと制御装置１との間のデータの送受信を許可された人物を認証するために、これらの人物に一意的に割り当てられた識別コードである。通信制御部４７によりこれを受信すると、制御部４１は、表示部４３によりＩＤ番号及びパスワードの入力の指示を表示し（ステップＳ３）、ＩＤ番号及びパスワードが入力されると（ステップＳ４）、通信制御部４７を介して入力されたＩＤ番号及びパスワードを制御装置１に送信する（ステップＳ５）。制御部１１は、受信されたＩＤ番号及びパスワードに対して認証を行い（ステップＳ６）、ＰＤＡ４ａに接続完了通知を送信する（ステップＳ７）。なお、ステップＳ４で入力されたＩＤ番号及びパスワードが制御装置１へのアクセスを許可された人物のものではない場合、接続は断絶される。
【００５８】
制御装置１からの接続完了通知を受信すると、制御部４１は、通信制御部４７により制御装置１に撮影オーダー情報送信要求を送信する（ステップＳ８）。制御部１１は、ＰＤＡ４ａから撮影オーダー情報送信要求を受信すると、撮影オーダー情報ファイル１７１から回診によりＸ線撮影を行う撮影オーダー情報で、ＰＤＡ４ｂ等の他のＰＤＡに送信していない撮影オーダー情報、例えば、撮影オーダー情報の機種領域１７１ｉが「医用画像読取装置３」であり、かつ送信済領域１７１ｋに「１」が格納されていない撮影オーダー情報を抽出し（ステップＳ９）、抽出された撮影オーダー情報の送信済領域１７１ｋにフラグを立てると共に、通信制御部１５によりＰＤＡ４ａに送信する（ステップＳ１０）。
【００５９】
制御装置１から撮影オーダー情報を受信すると、制御部４１は、受信した撮影オーダー情報を記憶部４６に記憶させる（ステップＳ１１）。そして、制御部４１は、通信制御部４７により制御装置１に切断要求を送信し（ステップＳ１２）、制御部１１はこれを受信して通信を切断する（ステップＳ１３）。
【００６０】
上述した撮影オーダー情報送受信処理Ａにより、制御装置１からＰＤＡ４ａへ撮影オーダー情報が送信される。放射線技師等は、回診によるＸ線撮影時にこの撮影オーダー情報の記憶されたＰＤＡ４ａを携帯し、表示部４３に撮影オーダー情報を表示することにより、Ｘ線撮影を行う患者や、患者毎の撮影オーダー情報、撮影部位等の撮影条件の確認を行う。また、一度ＰＤＡ４ｂ等の他のＰＤＡに送信した撮影オーダー情報についてはＰＤＡ４ａに送信されないので、重複撮影がされないようになっている。
【００６１】
なお、ＰＤＡ４ｂにおいても、上述した撮影オーダー情報送受信処理ＡにおけるＰＤＡ４ａと同様の手順により制御装置１と通信を行って、撮影オーダー情報の受信及び記憶を行う。
【００６２】
図６は、ＰＤＡ４ａを送信側、ＰＤＡ４ｂを受信側としてＰＤＡ４ａの制御部４１とＰＤＡ４ｂの制御部４１により実行される撮影オーダー情報送受信処理Ｂを示すフローチャートである。以下、図６を参照して撮影オーダー情報送受信処理Ｂについて説明する。
【００６３】
ＰＤＡ４ａの制御部４１は、入力部４２から撮影オーダー情報送信の指示が入力されると（ステップＳ２１）、ＩＤ番号及びパスワードの入力を指示する画面を表示部４３に表示させ（ステップＳ２２）、ＩＤ番号及びパスワードが入力されると（ステップＳ２３）、近距離無線通信部４４を介して、入力されたＩＤ番号及びパスワードをＰＤＡ４ｂに送信する（ステップＳ２４）。  ここで、ＩＤ番号は、医師、放射線技師や、その指示を受けたオペレータ等、ＰＤＡ４ａ、４Ｂとの間のデータの送受信を許可された人物を認証するために、これらの人物に一意的に割り当てられた識別コードである。
【００６４】
ＰＤＡ４ｂの制御部４１は、入力部４２から撮影オーダー情報受信の指示が入力されると（ステップＳ２５）、ＩＤ番号及びパスワードの入力を指示する画面を表示部４３に表示させ（ステップＳ２６）、ＩＤ番号及びパスワードが入力されると（ステップＳ２７）、近距離無線通信部４４を介して、入力されたＩＤ番号及びパスワードをＰＤＡ４ａに送信する（ステップＳ２８）。
【００６５】
ＰＤＡ４ａの制御部４１は、近距離無線通信部４４によりＰＤＡ４ｂから送信されたＩＤ番号及びパスワードを受信すると（ステップＳ２９）、認証を行って、認証結果をＰＤＡ４ｂに送信する（ステップＳ３１）。
【００６６】
ＰＤＡ４ｂの制御部４１は、近距離無線通信部４４によりＰＤＡ４ａから送信されたＩＤ番号及びパスワードを受信すると（ステップＳ３０）、認証を行って、認証結果をＰＤＡ４ｂに送信する（ステップＳ３２）。なお、ＰＤＡ４ａ及びＰＤＡ４ｂの制御部４１は、ＰＤＡ４ａ、４ｂ双方の認証が確認されなければ、次のステップを実行しない。
【００６７】
ステップＳ３１において認証を行った後、ＰＤＡ４ａの制御部４１は、表示部４３に撮影オーダー情報の一覧を表示させる（ステップＳ３３）。撮影オーダー情報の一覧画面から送信する撮影オーダー情報が選択されると（ステップＳ３４）、制御部４１は、近距離無線通信部４４により選択された撮影オーダー情報をＰＤＡ４ｂに送信する（ステップＳ３５）。
【００６８】
ＰＤＡ４ｂの制御部４１は、ＰＤＡ４ａから送信された撮影オーダー情報を受信し（ステップＳ３７）、撮影オーダー情報受信通知をＰＤＡ４ａへ送信する（ステップＳ３８）。ＰＤＡ４ａの制御部４１は、撮影オーダー情報受信通知を受信すると、送信した撮影オーダー情報を記憶部４６から削除する（ステップＳ３９）。ＰＤＡ４ｂの制御部４１は、受信した撮影オーダー情報を記憶部４６に記憶する。
【００６９】
なお、上述した撮影オーダー情報送受信処理Ｂは、ＰＤＡ４ａを送信側、ＰＤＡ４ｂを受信側としたが、ＰＤＡ４ｂを送信側、ＰＤＡ４ａを受信側として撮影オーダー情報の送受信を行うこともできる。また、ステップＳ３９において、送信した撮影オーダー情報を記憶部４６から削除することとしたが、例えばステップＳ３９で送信した撮影オーダー情報にフラグ等をたて、制御部４１により、その撮影オーダー情報に対して処理（例えば、表示や他の装置への送信等）を不可能とするように制御して該撮影オーダー情報を無効にするようにしてもよい。
【００７０】
以上説明したように、医用画像撮影システム１００によれば、制御装置１は、ＰＤＡ４ａ、４ｂから撮影オーダー情報送信要求を受信すると、撮影オーダー情報ファイル１７１に記憶されている撮影オーダー情報のうち回診によるＸ線撮影を行う撮影オーダー情報を抽出し、ＰＤＡ４に送信する。また、ＰＤＡ４ａとＰＤＡ４ｂは、近距離無線通信によりＩＤ番号及びパスワードを互いに送受信し、受信したＩＤ番号及びパスワードに対して認証を行う。認証後、ＰＤＡ４ａは表示部４３に撮影オーダー情報を表示し、送信する撮影オーダー情報が選択されると、選択された撮影オーダー情報をＰＤＡ４ｂに送信する。ＰＤＡ４ｂは、ＰＤＡ４ａからの撮影オーダー情報を受信すると、撮影オーダー情報受信通知をＰＤＡ４ａに送信し、記憶部４６に受信した撮影オーダー情報を記憶する。ＰＤＡ４ａは、撮影オーダー情報受信通知を受信すると、記憶部４６から送信した撮影オーダー情報を削除する。
【００７１】
従って、回診先でＰＤＡ４ａ、４ｂにより撮影オーダー情報の表示、確認を行うことができるとともに、回診先において撮影オーダー情報の譲渡を行うことができるので、撮影する技師の変更時に技師間での撮影オーダー情報のやり取りが可能となり、利便性が向上する。また、一度ＰＤＡ４ａや４ｂに取り込んだ撮影オーダー情報に対して新たな情報を追加する際にも、メッセンジャー等のＰＤＡ４ａ、４ｂに一度撮影オーダー情報を記憶させ、回診中の技師のＰＤＡ４ａ、４ｂに送信することで、回診中の技師のＰＤＡに撮影オーダー情報を追加することができる。また、撮影オーダー情報の送受信においては、ＰＤＡ４ａ、４ｂ双方の使用者（ユーザ）の認証が必要となるので、関係者以外の人が撮影オーダー情報の送受信の操作をすることを防止することができる。更に、撮影オーダー情報の送信元のＰＤＡ４ａからはＰＤＡ４ｂの撮影オーダー情報の受信の確認後、当該撮影オーダー情報の削除を行うので、撮影オーダー情報の重複による重複撮影を防止することができる。
【００７２】
なお、上記実施の形態における記述内容は、本発明における好適な一例であり、これに限定されるものではない。
【００７３】
例えば、ＰＤＡ４は、制御装置１から撮影オーダー情報を受信する構成としたが、情報管理装置２から直接撮影オーダー情報を受信する構成としてもよい。
【００７４】
また、上記実施の形態においては、医用画像システム１００は、ＣＲ装置またはＦＰＤを利用したシステムとして説明したが、本発明は、ＣＴ（Ｃｏｍｐｕｔｅｄ  Ｔｏｍｏｇｒａｐｈｙ）装置、ＭＲＩ（Ｍａｇｎｅｔｉｃ  Ｒｅｓｏｎａｎｃｅ  Ｉｍａｇｉｎｇ）装置、超音波診断装置等を用いた医用画像撮影システムにおいても適用することができる。
【００７５】
医用画像撮影システム１００及び医用画像撮影システム１００を構成する各装置の細部構成及び細部動作に関しても、本発明の趣旨を逸脱することのない範囲で適宜変更可能である。
【００７６】
【発明の効果】
請求項１に記載の発明によれば、携帯情報端末同士で撮影オーダー情報の譲渡を行うことができるので、回診先において撮影技師の変更時等に、携帯情報端末を所持する技師間での撮影オーダー情報のやりとりが容易に行えるようになる。また、撮影オーダー情報の送受信においては双方の携帯情報端末の操作者の認証を相手端末により行うので、許可されない人物による撮影オーダー情報の送受信を防止できる。また、送信した撮影オーダー情報を送信側の携帯情報端末から削除するので、撮影オーダー情報の重複による重複撮影を防止することができる。
【００７７】
請求項２に記載の発明によれば、撮影予約入力に基づいて撮影オーダ情報を生成する情報管理装置を備え、制御装置は通信ネットワークを介して情報管理装置から撮影オーダ情報を読み出す。従って、撮影オーダー情報の入力を、外部の情報管理装置によって行うことができる。
【００７８】
請求項３に記載の発明によれば、撮影予約入力に基づいて撮影オーダ情報を生成する情報管理装置を備え、携帯情報端末は、通信ネットワークを介して情報管理装置からも撮影オーダ情報を読出すことができる。従って、携帯情報端末は、制御装置を介することなく撮影オーダー情報を取得することができる。
【００７９】
請求項４に記載の発明によれば、制御装置は、撮影オーダー情報の中から、カセッテを用いる撮影のオーダー情報を抽出し、この抽出された撮影オーダー情報を携帯情報端末に送信する。従って、携帯情報端末にはカセッテを用いて撮影を行う撮影オーダー情報のみが送信されるので、携帯情報端末で扱うデータを回診先におけるＸ線撮影に必要な情報のみに限定することができ、携帯情報端末における処理を効率的に行うことができる。
【００８０】
請求項５に記載の発明によれば、携帯情報端末同士で撮影オーダー情報の譲渡を行うことができるので、回診先において撮影技師の変更時等に、携帯情報端末を所持する技師間での撮影オーダー情報のやりとりが容易に行えるようになる。また、撮影オーダー情報の送受信においては双方の携帯情報端末の操作者の認証を相手端末により行うので、許可されない人物による撮影オーダー情報の送受信を防止できる。また、送信した撮影オーダー情報を送信側の携帯情報端末から削除するので、撮影オーダー情報の重複による重複撮影を防止することができる。
【００８１】
請求項６に記載の発明によれば、受信確認信号を受信後、記憶部に記憶された送信済みの撮影オーダー情報にする処理を行わないように制御する。従って、撮影オーダー情報の送受信による重複撮影を防止することができる。
【図面の簡単な説明】
【図１】本発明に係る医用画像撮影システム１００の全体構成を概念的に示す図である。
【図２】図１の制御装置１の機能的構成を示すブロック図である。
【図３】図２の記憶部１７に記憶されている撮影オーダー情報ファイル１７１内部のデータ格納例を示す図である。
【図４】図１のＰＤＡ４の機能的構成を示すブロック図である。
【図５】図１の制御装置１とＰＤＡ４ａにより実行される撮影オーダー情報送受信処理Ａを示すフロー図である。
【図６】図１のＰＤＡ４ａとＰＤＡ４ｂにより実行される撮影オーダー情報送受信処理Ｂを示すフローチャートである。
【符号の説明】
１  制御装置
２  情報管理装置
３  医用画像読取装置
４  ＰＤＡ
５  回診用Ｘ線装置
１１  制御部
１２  入力部
１３  表示部
１４  Ｉ／Ｆ
１５  通信制御部
１６  ＲＡＭ
１７  記憶部
１７１  撮影オーダー情報ファイル
１７２  画像ＤＢ
１８  画像処理部
１９  バス
４１  制御部
４２  入力部
４３  表示部
４４  近距離無線通信部
４５  ＲＡＭ
４６  記憶部
４７  通信制御部
４８  バス
１００  医用画像撮影システム
Ａ  カセッテ
Ｃ  ケーブル
Ｎ  ネットワーク
【図１】
2004152067.tif 000003
【図２】
2004152067.tif 000004
【図３】
2004152067.tif 000005
【図４】
2004152067.tif 000006
【図５】
2004152067.tif 000007
【図６】
2004152067.tif 000008